(57)【要約】【課題】  表示面積をフルに使って、ドキュメント全体を俯瞰しつつドキュメント情報の拡大表示を行うことができ、表示面積の減少を招かない表示制御装置、表示制御方法およびプログラムを提供する。【解決手段】  縦横所定の画面サイズを有する表示装置（５）に、前記画面サイズよりも大きな情報（１６）を表示する際に、前記情報を加工してから前記表示装置に表示する。前記情報の加工は、当該情報を前記表示装置のほぼ画面全体に表示した状態で、当該情報の任意部分を拡大し、且つ、残りの部分を、前記表示装置の画面周縁部に至るにつれて徐々に縮小する。【選択図】  図２
2011112678.tif 000002
【特許請求の範囲】
【請求項１】
縦横所定の画面サイズを有する表示装置に、
前記画面サイズよりも大きな情報を表示する際に、
前記情報を加工してから前記表示装置に表示する表示制御装置において、
前記情報の加工は、
当該情報を前記表示装置のほぼ画面全体に表示した状態で、
当該情報の任意部分を拡大し、
且つ、残りの部分を、前記表示装置の画面周縁部に至るにつれて徐々に縮小するものである
ことを特徴とする表示制御装置。
【請求項２】
前記拡大と縮小を行うために、
前記情報の行間と列間の拡大／縮小係数を発生する係数発生手段を備えたことを特徴とする請求項１に記載の表示制御装置。
【請求項３】
略半円形の断面形状を有する蒲鉾状の仮想物体の湾曲外周面に前記情報を沿わせた状態を再現する再現手段と、
前記情報を前記仮想物体の湾曲外周面に沿わせた状態で、当該情報に対する視線方向を前記仮想物体の頭頂部付近に定めたときの前記情報の見え方に基づいて前記情報の拡大と縮小を行う加工手段と
を備えたことを特徴とする請求項１に記載の表示制御装置。
【請求項４】
略半球状の仮想物体の外周面に前記情報を沿わせた状態を再現する再現手段と、
前記情報を前記仮想物体の外周面に沿わせた状態で、当該情報に対する視線方向を前記仮想物体の頭頂部付近に定めたときの前記情報の見え方に基づいて前記情報の拡大と縮小を行う加工手段と
を備えたことを特徴とする請求項１に記載の表示制御装置。
【請求項５】
頭頂部を曲面に仕上げたピラミッド状の仮想物体の外周面に前記情報を沿わせた状態を再現する再現手段と、
前記情報を前記仮想物体の外周面に沿わせた状態で、当該情報に対する視線方向を前記仮想物体の頭頂部付近に定めたときの前記情報の見え方に基づいて前記情報の拡大と縮小を行う加工手段と
を備えたことを特徴とする請求項１に記載の表示制御装置。
【請求項６】
前記表示装置の画面前面に光学的な拡大作用を有するレンズ体を介在させたことを特徴とする請求項１〜５いずれかに記載の表示制御装置。
【請求項７】
縦横所定の画面サイズを有する表示装置に、
前記画面サイズよりも大きな情報を表示する際に、
前記情報を加工してから前記表示装置に表示する表示制御方法において、
前記情報の加工は、
当該情報を前記表示装置のほぼ画面全体に表示した状態で、
当該情報の任意部分を拡大し、
且つ、残りの部分を、前記表示装置の画面周縁部に至るにつれて徐々に縮小するものである
ことを特徴とする表示制御方法。
【請求項８】
縦横所定の画面サイズを有する表示装置のコンピュータに適用するプログラムであって、
前記画面サイズよりも大きな情報を前記表示装置に表示する際に、
当該情報を前記表示装置のほぼ画面全体に表示した状態で、
当該情報の任意部分を拡大し、
且つ、残りの部分を、前記表示装置の画面周縁部に至るにつれて徐々に縮小するように前記情報の加工を行う
という機能を前記コンピュータに実現させることを特徴とするプログラム。
【発明の詳細な説明】
【技術分野】
【０００１】
本発明は、表示制御装置、表示制御方法およびプログラムに関し、とりわけ、携帯電話等の電子機器に搭載された小さな画面サイズの表示装置を制御するために用いて好適な表示制御装置、表示制御方法およびプログラムに関する。
【背景技術】
【０００２】
携帯電話等の電子機器用の表示装置は、筐体の小型化要求といった物理的制約から、その画面サイズは小さく（高々数インチ程度しかない）、たとえば、パソコン用に設計された大きなドキュメント（ホームページ等）を閲覧する際に、ドキュメントの一部しか見ることができないという不都合がある。
【０００３】
図１０は、大きなドキュメントを小さな画面サイズの表示装置１００でも閲覧できるように工夫した例を示す図である。この例では、大きなドキュメント１０１は、不図示の電子機器の内部において、表示装置１００の大きさに合わせて縮小リサイズされるようになっており、したがって、もともと大きなドキュメント１０１であっても、数インチ程度しかない表示装置１００に、その全体を支障なく表示できるようになっている。
【０００４】
しかしながら、このような縮小方向へのリサイズは、ドキュメント１０１の情報（図示の例ではＡＢＣ・・・・）が小さくなって見にくくなるという新たな欠点を招くから、特に視力が衰えた年配者にとって好ましくない対策ということができる。
【０００５】
図１１は、視力が衰えた年配者にとっても好ましい解決策を示す図である（たとえば、下記の特許文献１参照）。この図において、表示装置１０２には、大きなドキュメント１０１（図１０参照）の一部が拡大表示されており、この表示状態では、ドキュメント１０１の情報（図ではＢＣＳＤ）が大きく見えているので、視力が衰えた年配者であっても十分な視認性を得ることができる。
【０００６】
加えて、この解決策では、表示装置１０２の片隅（図では右下隅）にドキュメント全体の俯瞰表示枠１０３が設定されており、この俯瞰表示枠１０３の内部に矩形状のカーソル１０４が表示されている。カーソル１０４は、不図示の操作ボタンによってその位置を変更できるようになっており、このカーソル１０４の動きに合わせて、表示装置１０２に表示中のドキュメント拡大像が上下左右に移動するようになっている。
【０００７】
したがって、この解決策にあっては、（１）小サイズの表示装置１０２に大きく拡大した情報を表示できる、（２）表示対象ドキュメントの全体を俯瞰して、どの部分が拡大表示されているのかを常に把握できる、という利点が得られる。
【先行技術文献】
【特許文献】
【０００８】
【特許文献１】特開平７−１４６９５１号公報
【発明の概要】
【発明が解決しようとする課題】
【０００９】
しかしながら、図１１の解決策にあっては、ドキュメント全体の俯瞰と、ドキュメント情報の拡大表示とを共に達成できるという利点がある一方で、「ドキュメント全体の俯瞰」のための表示枠（図１１の俯瞰表示枠１０３参照）が必要であることから、その表示枠の占有分だけ、表示装置の表示面積が減少してしまうという問題点がある。
【００１０】
そこで、本発明の目的は、表示面積をフルに使って、ドキュメント全体を俯瞰しつつドキュメント情報の拡大表示を行うことができ、表示面積の減少を招かない表示制御装置、表示制御方法およびプログラムを提供することにある。
【課題を解決するための手段】
【００１１】
請求項１記載の発明は、縦横所定の画面サイズを有する表示装置に、前記画面サイズよりも大きな情報を表示する際に、前記情報を加工してから前記表示装置に表示する表示制御装置において、前記情報の加工は、当該情報を前記表示装置のほぼ画面全体に表示した状態で、当該情報の任意部分を拡大し、且つ、残りの部分を、前記表示装置の画面周縁部に至るにつれて徐々に縮小するものであることを特徴とする表示制御装置である。
請求項２記載の発明は、前記拡大と縮小を行うために、前記情報の行間と列間の拡大／縮小係数を発生する係数発生手段を備えたことを特徴とする請求項１に記載の表示制御装置である。
請求項３記載の発明は、略半円形の断面形状を有する蒲鉾状の仮想物体の湾曲外周面に前記情報を沿わせた状態を再現する再現手段と、前記情報を前記仮想物体の湾曲外周面に沿わせた状態で、当該情報に対する視線方向を前記仮想物体の頭頂部付近に定めたときの前記情報の見え方に基づいて前記情報の拡大と縮小を行う加工手段とを備えたことを特徴とする請求項１に記載の表示制御装置である。
請求項４記載の発明は、略半球状の仮想物体の外周面に前記情報を沿わせた状態を再現する再現手段と、前記情報を前記仮想物体の外周面に沿わせた状態で、当該情報に対する視線方向を前記仮想物体の頭頂部付近に定めたときの前記情報の見え方に基づいて前記情報の拡大と縮小を行う加工手段とを備えたことを特徴とする請求項１に記載の表示制御装置である。
請求項５記載の発明は、頭頂部を曲面に仕上げたピラミッド状の仮想物体の外周面に前記情報を沿わせた状態を再現する再現手段と、前記情報を前記仮想物体の外周面に沿わせた状態で、当該情報に対する視線方向を前記仮想物体の頭頂部付近に定めたときの前記情報の見え方に基づいて前記情報の拡大と縮小を行う加工手段とを備えたことを特徴とする請求項１に記載の表示制御装置である。
請求項６記載の発明は、前記表示装置の画面前面に光学的な拡大作用を有するレンズ体を介在させたことを特徴とする請求項１〜５いずれかに記載の表示制御装置である。
請求項７記載の発明は、縦横所定の画面サイズを有する表示装置に、前記画面サイズよりも大きな情報を表示する際に、前記情報を加工してから前記表示装置に表示する表示制御方法において、前記情報の加工は、当該情報を前記表示装置のほぼ画面全体に表示した状態で、当該情報の任意部分を拡大し、且つ、残りの部分を、前記表示装置の画面周縁部に至るにつれて徐々に縮小するものであることを特徴とする表示制御方法である。
請求項８記載の発明は、縦横所定の画面サイズを有する表示装置のコンピュータに適用するプログラムであって、前記画面サイズよりも大きな情報を前記表示装置に表示する際に、当該情報を前記表示装置のほぼ画面全体に表示した状態で、当該情報の任意部分を拡大し、且つ、残りの部分を、前記表示装置の画面周縁部に至るにつれて徐々に縮小するように前記情報の加工を行うという機能を前記コンピュータに実現させることを特徴とするプログラムである。
【発明の効果】
【００１２】
本発明によれば、表示面積をフルに使って、ドキュメント全体を俯瞰しつつドキュメント情報の拡大表示を行うことができ、表示面積の減少を招かない表示制御装置、表示制御方法およびプログラムを提供することができる。
【図面の簡単な説明】
【００１３】
【図１】携帯電話機１の概念構成図である。
【図２】本実施形態の特徴的事項を示す概念ブロック図である。
【図３】拡大／縮小係数の概念説明図である。
【図４】注目エリア１８の位置変更概念図である。
【図５】第１の変形例を示す概念図である。
【図６】ドキュメント２０と物体２１との関係図である。
【図７】第２の変形例を示す概念図である。
【図８】第３の変形例を示す概念図である。
【図９】第４の変形例を示す概念図である。
【図１０】大きなドキュメントを小さな画面サイズの表示装置１００でも閲覧できるように工夫した例を示す図である。
【図１１】視力が衰えた年配者にとっても好ましい解決策を示す図である。
【発明を実施するための形態】
【００１４】
以下、本発明の実施形態を、携帯電話機を例にして図面を参照しながら説明する。
図１は、携帯電話機１の概念構成図である。この図において、携帯電話機１は通信部２、カメラ部３、操作部４、表示部５、記憶部６、受話部７、送話部８、制御部９および電源部１０を備える。
【００１５】
通信部２は、携帯電話会社に割り当てられた周波数帯の電波を使って最寄りの基地局との間で音声通信やデータ通信を行い、また、カメラ部３は、この携帯電話機１をカメラとして使用する際に任意の被写体を撮像して、その画像データを制御部９に出力する。操作部４は、この携帯電話機１の動作に必要な各種操作コマンド（電話モードやカメラモード等の動作モード切り替えコマンド、オンフックやオフフックコマンド、テンキーコマンド、カーソル操作コマンド・・・・等）をユーザ操作に応答して発生し、また、表示部５は数インチ程度の小型の液晶ディスプレイやＥＬディスプレイなどの平面表示デバイスからなり、さらに、記憶部６はカメラ部３によって撮影された画像ファイルや電話帳などのユーザデータを記憶するための固定型または着脱可能型半導体メモリ等の大容量記憶デバイスを含む。また、受話部７は電話交信時の拡声用スピーカ、送話部８は同交信時の拾音マイクであり、制御部９は、この携帯電話機１の動作を統括制御するための中央処理装置、電源部１０は、携帯電話機１の各部に電源を供給する二次電池と、この二次電池の充電機能とを含む。
【００１６】
制御部９は、この図では、コンピュータ（以下、ＣＰＵ）９ａ、不揮発性半導体メモリ（以下、ＲＯＭ）９ｂ、揮発性半導体メモリ（以下、ＲＡＭ）９ｃおよび書き換え可能不揮発性半導体メモリ（以下、ＰＲＯＭ）９ｄを含んで構成されており、ＲＯＭ９ｂにあらかじめ書き込まれている制御プログラムをＲＡＭ９ｃにロードしてＣＰＵ９ａで実行することにより、この携帯電話機１の各部の動作を集中制御する、いわゆるプログラム制御型の中央処理装置であるが、これに限定されない。制御機能のすべてまたは一部をハードロジックで構成したものであってもよい。
【００１７】
本実施携帯の携帯電話機１は、電話機やカメラとして動作するほか、電子メール端末やホームページ閲覧端末としても動作することができる。すなわち、ユーザが操作部４の所定キーを操作して電話モードの選択コマンドを発生すれば電話機として動作し、カメラモードの選択コマンドを発生すればカメラとして動作することに加え、電子メールの送信コマンドや受信コマンドを発生すれば電子メール端末としても動作し、さらに、ホームページの閲覧コマンドを発生すればホームページ閲覧端末としても動作するものである。
【００１８】
ホームページの閲覧動作において、閲覧しようとするドキュメントが携帯電話向けのもの、つまり、表示部５の表示サイズに適合した大きさのものであれば、そのドキュメント全体を表示部５に支障なく表示して閲覧することできる。しかも、携帯電話向けに設計されたドキュメントは、文字の大きさも適切になっているので、多くの場合、小サイズの表示装置５であっても文字が見にくくなることはない。
【００１９】
しかしながら、冒頭でも述べたとおり、大きなドキュメント（たとえば、パソコン向けに設計されたもの）を携帯電話機１で表示する場合は、何らかの工夫が必要になる。ドキュメントの一部を拡大表示した場合は文字が見にくくならない反面、ドキュメントの全体を見通せなくなり、一方、ドキュメントを縮小リサイズした場合は文字が見にくくなって、特に視力が衰えた年配者に不都合を招くからである。ドキュメントの全体を俯瞰でき、且つ、文字の見にくさも解消した従来技術は、たとえば、冒頭の特許文献１にも示されているように公知であるが、この従来技術は、「ドキュメント全体の俯瞰」のための表示枠（図１１の俯瞰表示枠１０３参照）が必要であるため、その表示枠の占有分だけ、表示装置の表示面積が減少してしまうという問題点がある。
【００２０】
そこで、本実施形態では、この問題点を解決するために、ドキュメント全体を俯瞰しつつドキュメント情報の拡大表示を行うことができ、しかも、表示面積の減少を招かないための工夫として、以下の技術的改善策を講じたものである。
【００２１】
図２は、本実施形態の特徴的事項を示す概念ブロック図である。この図において、便宜的に示す各部、すなわち、注目エリア指示部１１、表示画面情報保持部１２、行方向拡大／縮小係数発生部１３、列方向拡大／縮小係数発生部１４およびドキュメント変形処理部１５は、制御部９において、ソフトウェアで機能的に実現されたものであるが、これは実現可能なひとつの態様例を示しているに過ぎない。いうまでもなく、その機能のすべてまたは一部をハードロジックで実現してもかまわない。
【００２２】
まず、注目エリア指示部１１は、操作部４からの操作コマンドに応答して閲覧対象のドキュメント１６のどの部分を見やすくするのかを指示するためのものである。この注目エリア（後述の注目エリア１８参照）の指示位置は、ドキュメント１６の平面上の任意位置に設定することができるが、以下の説明では、便宜的にドキュメント１６の中央部分としている。
【００２３】
次に、表示画面情報保持部１２は、携帯電話機１の表示部５の表示画面情報（少なくとも表示画面の大きさを示す情報であり、具体的には縦横のピクセル数など）を保持するためのものである。この表示画面情報は、携帯電話機１の機種ごとに異なる。
【００２４】
次に、行方向拡大／縮小係数発生部１３と列方向拡大／縮小係数発生部１４は、ドキュメント１６の行方向（縦方向：ロウ方向ともいう）と列方向（横方向：カラム方向ともいう）の拡大／縮小係数を発生するためのものである。
【００２５】
図３は、拡大／縮小係数の概念説明図である。この図において、ドキュメント１７は、拡大／縮小係数を“適用後”のものを示している。ドキュメント１７は説明の便宜上、７行×７列の構造を有しているものとし、行間距離をＲ１〜Ｒ８、列間距離をＣ１〜Ｃ８で示すことにすると、この例においては、行間距離が「Ｒ１＜Ｒ２＜Ｒ３＜Ｒ４＝Ｒ５＞Ｒ６＞Ｒ７＞Ｒ８」、列間距離が「Ｃ１＜Ｃ２＜Ｃ３＜Ｃ４＝Ｃ５＞Ｃ６＞Ｃ７＞Ｃ８」の関係になっている。
【００２６】
すなわち、ドキュメント１７の中央部分（注目エリア１８）の行間距離と列間距離が最大で、周縁部に至るにつれて同距離が徐々に小さくなる関係に設定されている。拡大／縮小係数は、これらの関係を実現するための値であり、ドキュメント１７の本来の行間距離および列間距離を“１”として、それよりも小さければ縮小係数、それよりも大きければ拡大係数となる。たとえば、Ｒ４やＲ５は行方向の拡大係数、Ｒ１やＲ８は行方向の縮小係数であり、また、Ｃ４やＣ５は列方向の拡大係数、Ｃ１やＣ８は列方向の縮小係数である。
【００２７】
再び図２に戻り、次に、ドキュメント変形処理部１５は、上記のようにして得られた行方向と列方向の拡大／縮小係数を閲覧対象のドキュメント１６に適用して、このドキュメント１６を変形加工し、変形後のドキュメント１７を生成して表示部５に出力する。
【００２８】
変形後のドキュメント１７は、図３に示したとおり、行間距離と列間距離が調節されると共に、それらの行間距離と列間距離に合わせてドキュメント１７内の情報の大きさも拡大／縮小されている。図示の例では、注目エリア指示部１１において、ドキュメント１７の中央部が見やすくなるように指示（注目エリア１８参照）されているため、この場合、注目エリア１８の内部の情報が大きく拡大されると共に、それ以外の情報が縮小されている。
【００２９】
このように、本実施形態では、表示装置５の画面サイズよりも大きなドキュメント１６を閲覧する際に、このドキュメント１６の注目エリア１８の行間距離と列間距離とを最大にする一方、それ以外の部分の行間距離と列間距離とをドキュメント１６の周縁部にかけて徐々に小さくするように調節し、さらに、それらの行間距離および列間距離の調節に合わせて、各々の部分の情報の大きさを大から小へと変形加工しているので、変形加工後のドキュメント１７の全体を小さな画面サイズの表示装置５に支障なく表示できる（したがって、ドキュメント１７の全体を俯瞰できる）と共に、注目エリア１８の情報を拡大表示することができるから、たとえば、視力が衰えた年配者にとっても好ましいものとすることができる。
【００３０】
また、注目エリア１８の位置をユーザが任意に指定できるので、ドキュメント１７のどの部分でも自由に拡大表示することができる。
図４は、注目エリア１８の位置変更概念図である。この図では、注目エリア１８がドキュメント１７の中央部に位置しているが、この注目エリア１８は、ユーザ操作（たとえば、操作部４のカーソル操作等）に応答してドキュメント１７の上を任意の方向に移動できるようになっており、たとえば、図中の白抜き矢印１９で示すように、上下左右や斜め方向（もちろん図示以外の角度でもよい）に移動可能であり、ドキュメント１７の好きな部分を注目エリア１８に指定して当該部分を拡大表示させることができるようになっている。
このため、上記の俯瞰効果（ドキュメント１７の全体を俯瞰できる）と相まって、ドキュメント１７の閲覧自在性を高めることができる。
【００３１】
なお、本発明の技術思想は、上記の実施形態に限定されず、その思想の範囲内において様々な変形例や発展例を包含するものであり、たとえば、以下のようなものであってもよい。
【００３２】
図５は、第１の変形例を示す概念図である。まず、上記の実施形態では、ドキュメントの行間距離と列間距離とを調節すると共に、それらの行間距離と列間距離に合わせてドキュメント内の情報の大きさを拡大／縮小している。この変形は、いわばドキュメントの二次元的な変形であるが、これに限定されない。次に説明するような三次元的な変形であってもよい。図５において、変形対象のドキュメント２０の下に、略半円形の断面形状を有する蒲鉾状の物体２１が位置している。この物体２１は説明上の仮想体である。いま、白抜き矢印２２で示すように、物体２１の湾曲外周面にドキュメント２０を沿わせたと仮定する。
【００３３】
図６は、ドキュメント２０と物体２１との関係図である。この図において、ほぼ半円状の湾曲外周面を持つ物体２１の半径をｒとしたとき、物体２１の外周長Ｌは２πｒ／２となるから、このＬと、ドキュメント２０の横長Ｆとを等しいとすれば、ドキュメント２０の全体を物体２１の湾曲外周面に余すことなくぴったりと沿わせることができる。
【００３４】
このように、物体２１の湾曲外周面にドキュメント２０を沿わせた状態で、図面の上方向（矢印２３参照）からドキュメント２０を目視した場合、ドキュメント２０上の情報は、ドキュメント２０の中央部分（物体２１の頭頂部付近）で最も大きく見え、物体２１の頭頂部から側面を経て底面に至るにつれて徐々に小さくなって見える。このような情報の見え方は、たとえば、缶ジュースの側面を眺めたときと同じ（正面の文字が大きく見え、側面の文字が小さく見える）である。このとき、側面の文字は「小さく見える」ものの、側面情報のすべては目視可能な状態にあり、一切の情報喪失はない。したがって、このような仮想的な蒲鉾体（物体２１）を用いた三次元的な変形をドキュメント２０に対して行ってもよい。
【００３５】
なお、このような三次元的な変形を行うためのアルゴリズムは、医療や設計、シミュレーションなどの分野で諸々知られており、それらはいずれもコンピュータプログラムの形で提供されているから、それらのプログラムをそのまま、あるいは、一部変更して本実施形態の制御部９に組み込むことに特段の困難はない。したがって、本実施形態の制御部９に、上記の三次元的な変形を行うための機能を実装することは十分可能であるということができ、この場合、制御部９は上記の三次元的な変形を行う要素として機能する。
【００３６】
図７は、第２の変形例を示す概念図である。第１の変形例との違いは、蒲鉾状の物体２１の代わりに略半球状の物体２４を用いた点にある。この物体２４も仮想上のものである。
第１の変形例と同様に、物体２４の外周面にドキュメント（図６のドキュメント２０参照）を沿わせた状態で、図面の上方向からドキュメントを目視した場合、ドキュメント上の情報は、ドキュメントの中央部分（物体２４の頭頂部付近）で最も大きく見え、物体２４の頭頂部から側面を経て底面に至るにつれて徐々に小さくなって見える。このような情報の見え方は、たとえば、地球儀を上から眺めたときと同じ（北極付近の文字が大きく見え、緯度が下がるにつれて文字が小さく見える）である。このとき、低緯度部分の文字は「小さく見える」ものの、すべての文字情報は目視可能な状態にあり、一切の情報喪失はない。したがって、このような仮想的な半球体（物体２４）を用いた三次元的な変形をドキュメントに対して行ってもよい。
【００３７】
図８は、第３の変形例を示す概念図である。第１および第２の変形例との違いは、蒲鉾状の物体２１や半球状の物体２４の代わりに、同図（ａ）に示すようなピラミッド状の物体２５を用いた点にある。この物体２５も仮想上のものである。
【００３８】
ただし、本来の“ピラミッド”は四角錐体であり、その頭頂部が先鋭である（尖っている）ため、この頭頂部を曲面化する必要がある。この曲面化のための方法としては、たとえば、同図（ｂ）に示すように、四角錐型の物体２６と、その物体２６の頭頂部付近に内接する適宜直径の球体２７とを組み合わせ、この球体２７の一部表面が露出するように、四角錐型の物体２６の頭頂部を取り除くことによって得ることができる。物体２５の頭頂部の曲面の大きさと曲がり方は、球体２７の直径によってコントロールできる。直径を大きくすればなだらかで大きな曲面となり、その逆に直径を小さくすれば急激に変化する小さな曲面となる。
【００３９】
この第３の変形例においても第１および第２の変形例と同様に、ピラミッド状の物体２５の外周面にドキュメント（図６のドキュメント２０参照）を沿わせた状態で、図面の上方向からドキュメントを目視した場合、ドキュメント上の情報は、ドキュメントの中央部分（物体２５の頭頂部付近）で最も大きく見え、物体２５の頭頂部から側面を経て底面に至るにつれて小さくなって見えるから、このような仮想ピラミッド体（物体２５）を用いた三次元的な変形をドキュメントに対して行ってもよい。
【００４０】
図９は、第４の変形例を示す概念図であり、前記の実施形態や第１〜第３の変形例と組み合わせて使用することができるものである。この図において、携帯電話機２８の表示装置２９の上には、横方向に曲面を描くレンズ体３０が取り付けられている。このレンズ体３０は、いわゆる凸レンズであり、このレンズ体３０を通して表示装置２９の画面を見ることにより、画面の情報を拡大して見ることができる。
【００４１】
前記の実施形態や第１〜第３の変形例の狙いは、要するに、表示装置３０に、たとえば、パソコン用の大きなドキュメントを表示する際に、そのドキュメントの全体を余すことなく表示することができ、且つ、任意の部分を注目エリア１８に指定して拡大表示することにより、たとえば、視力が衰えた年配者にも情報を見やすくすることにあるが、この第４の変形例の技術（レンズ体３０）を組み合わせることによって情報の拡大率をさらに高めることができるから、より年配者等にやさしい情報の表示技術を実現することができるので好ましい。
【００４２】
なお、レンズ体３０に凸レンズ以外のものを使用してもよい。すなわち、レンズ体３０に求められる機能は情報の「光学的な拡大」であるので、拡大作用を有する光学系であればいかなるもの（たとえば、フレネルレンズ等）であってもかまわない。
【００４３】
また、以上の説明では携帯電話機への適用を例にしたが、これに限らない。小さな画面サイズの表示装置を備える電子機器であって、しかも、その表示装置の画面サイズよりも大きなドキュメント（文書、画像またはそれらの混在物）を表示する可能性があるすべての電子機器に適用できる。
【符号の説明】
【００４４】
５  表示部（表示装置）
９  制御部（再現手段、加工手段）
１３  行方向拡大／縮小係数発生部（係数発生手段）
１４  列方向拡大／縮小係数発生部（係数発生手段）
１６  ドキュメント（情報）
１８  注目エリア（任意部分）
２０  ドキュメント（情報）
２１  物体（仮想物体）
２４  物体（仮想物体）
２５  物体（仮想物体）
３０  レンズ体
【図１】
2011112678.tif 000003
【図２】
2011112678.tif 000004
【図３】
2011112678.tif 000005
【図４】
2011112678.tif 000006
【図５】
2011112678.tif 000007
【図６】
2011112678.tif 000008
【図７】
2011112678.tif 000009
【図８】
2011112678.tif 000010
【図９】
2011112678.tif 000011
【図１０】
2011112678.tif 000012
【図１１】
2011112678.tif 000013